(57)【要約】      （修正有）【課題】人が手や手のひらで携帯電話／タブレットを持ち、かつその手の親指で簡単に安全にタッチパネルを操作することができるようにする。【解決手段】指止め輪付きの携帯電話／タブレットＰＣ用ケースは、携帯電話／タブレットＰＣの機器本体を収納するケース本体と、ケース本体の底部に設けられた指止め輪と、を含む。前記指止め輪は、指を通すための指孔を有する。指止め輪は、弾性弁２５と弾性ベルト２６を有し、弾性弁２５は、１本の辺が底部に連結し、他の辺が底部から切り離され、弾性ベルト２６は、２本の対向する辺が弾性弁２５に連結し、他の２本の対向する辺が弾性弁２５から切り離され、弾性ベルト２６は、ケース本体の長辺に平行である。使用者は中指を弾性ベルト２６と弾性弁２５とのギャップに入れ、親指を使わず、携帯電話／タブレットＰＣ用ケースをしっかり掴むことができる。【選択図】図９ｃ
2017159038.tif 000002
【特許請求の範囲】
【請求項１】
携帯電話／タブレットＰＣを収納するケース本体を含む、指止め輪付きの携帯電話／タブレットＰＣ用ケースにおいて、
前記ケース本体の底部に、前記指止め輪が設けられ、
前記指止め輪は、弾性弁と弾性ベルトを有し、
前記弾性弁は、１本の辺が前記底部に連結し、他の辺が前記底部から切り離され、
前記弾性ベルトは、２本の対向する辺が前記弾性弁に連結されており、他の２本の対向する辺が前記弾性弁から切り離され、
前記弾性ベルトは、前記ケース本体の長辺に平行である、
ことを特徴とする指止め輪付きの携帯電話／タブレットＰＣ用ケース。
【請求項２】
請求項１に記載の指止め輪付きの携帯電話／タブレットＰＣ用ケースにおいて、
前記弾性弁と前記弾性ベルトの各々は長方形である、
ことを特徴とする指止め輪付きの携帯電話／タブレットＰＣ用ケース。
【請求項３】
請求項２に記載の指止め輪付きの携帯電話／タブレットＰＣ用ケースにおいて、
前記弾性弁は、２本の長辺と１本の短辺が三つの切り目により前記ケース本体の前記底部から切り離され、別の１本の短辺が前記底部に連結するように形成される、
ことを特徴とする指止め輪付きの携帯電話／タブレットＰＣ用ケース。
【請求項４】
請求項２に記載の指止め輪付きの携帯電話／タブレットＰＣ用ケースにおいて、
前記弾性ベルトは、２本の長辺が二つの切り目により前記弾性弁から切り離され、２本の短辺が前記弾性弁に連結されている、
ことを特徴とする指止め輪付きの携帯電話／タブレットＰＣ用ケース。
【請求項５】
請求項１に記載の指止め輪付きの携帯電話／タブレットＰＣ用ケースにおいて、
前記ケース本体と前記指止め輪とは、弾性プラスチックから製造される、
ことを特徴とする指止め輪付きの携帯電話／タブレットＰＣ用ケース。
【発明の詳細な説明】
【技術分野】
【０００１】
本発明は、指止め輪付きの携帯電話／タブレットＰＣ用ケースであって、携帯電話又はタブレットＰＣの付属品である。
【背景技術】
【０００２】
現在、携帯電話やタブレットＰＣは、大きくなる一方である。画面が大きくなり閲覧しやすくなるが、片手で携帯電話又はタブレットＰＣを握って親指でタッチパネルを操作することは、ますます難しくなり、うっかりして携帯電話又はタブレットＰＣを地面に落としてしまい、損壊することがある。従来の各種の携帯電話又はタブレットＰＣ用ケースは、保護機能、又は、電話又はタブレットＰＣを机に立てる機能のみを有し、片手のみで握って当該手の親指で便利に操作できるという問題を解決できない。
【発明の概要】
【発明が解決しようとする課題】
【０００３】
本発明の目的は、指止め輪付きの携帯電話／タブレットＰＣ用ケースを提供し、上記問題を解決することである。すなわち、本発明の指止め輪付きの携帯電話／タブレットＰＣ用ケースによって、人が手や手のひらで携帯電話／タブレットを持ち、かつその手の親指で簡単に安全にタッチパネルを操作することができるようにすることである。
【課題を解決するための手段】
【０００４】
本発明の目的は、以下の着想により実現される。
【０００５】
指止め輪付きの携帯電話／タブレットＰＣ用ケースは、携帯電話／タブレットＰＣの機器本体を収納するケース本体（ボックス、箱）と、ケース本体の底部（背面）に設けられた指止め輪と、を含む。前記指止め輪には、指を通すための指孔を有する。指止め輪は、回転具を介してケース本体の底部に連結され、ケース本体の底部で回転することができる。
【０００６】
指止め輪付きの携帯電話／タブレットＰＣ用ケースでは、短いフレキシブルワイヤーは、回転連結具の近くで、指止め輪の一端側と、ケースの底部とを連結している。それゆえに、指止め輪の開きが制限される。
【０００７】
前記ケース本体は、弾性材から製造される。前記指止め輪は、ケース本体の底部の一部である。指止め輪は、周辺の一部がケース本体の底部から分離され、周辺の別部分がケース本体に連結される。回転連結部は、指止め輪とケース本体とを弾性的に連結する部分である。
【０００８】
前記指止め輪には、指を通すための複数の指孔を有する。前記ケース本体は、剛性材から製造され、前記回転具は、ヒンジである。前記指止め輪は、指を通すための複数の指孔に弾性弁を有する。前記指止め輪は、長方形であり、３つの辺がケース本体の底部から切り離され、別の１つの辺が、ケース本体の底部に連結して、回転可能になる。前記指止め輪は、ケース本体の底部に２個あり、２個の指止め輪は、内側に回転すると閉じられ、外側へ回転すると開かれる。前記指止め輪は、ケース本体の底部に２個あり、２個の指止め輪は、内側に回転すると開かれ、外側へ回転すると閉じられる。前記指止め輪は、指を通すための複数の指孔を有し、前記指孔は、平行な２列の指孔である。前記指止め輪は、指を通すための複数の指孔を有する。前記指止め輪は、長方形である。短いフレキシブルワイヤーは、回転連結具の近くで、指止め輪の一端側と、ケース本体の底部とを連結しており、指止め輪の開きが制限される。
【０００９】
使用者は、指止め輪の指孔に挿入させた指と手のひらとを使って、携帯電話／タブレットＰＣをしっかり握ることができ、親指によるタッチパネルでの操作が自由になる。
【００１０】
本発明の指止め輪付きの携帯電話／タブレットＰＣ用ケースのもう一つの実施例は、携帯電話／タブレットＰＣを収納するケース本体と、ケース本体の底部に設けられた指止め輪と、を含む。前記指止め輪は、弾性弁と弾性ベルトを有し、前記弾性弁は、１本の辺が前記底部に連結し、他の辺が前記底部から切り離され、前記弾性ベルトは、２本の対向する辺が前記弾性弁に連結し、他の２本の対向する辺が前記弾性弁から切り離され、前記弾性ベルトは、前記ケース本体の長辺に平行である。
【発明の効果】
【００１１】
使用者は、中指をベルトと携帯電話／タブレットＰＣ用ケースの底部とのギャップに入れ、携帯電話／タブレットＰＣ用ケースをしっかり掴むことができる。
【図面の簡単な説明】
【００１２】
【図１】本発明の指止め輪付きの携帯電話／タブレットＰＣ用ケースの斜視図である。
【図２】図１に示すケース本体の背面図であり、指止め輪がケース本体の底部の中間部分に示される。
【図２ａ】当該指止め輪が外側へ回転したことを示す。
【図２ｂ】当該指止め輪がケース本体の底部にヒンジで連結されることを示す。
【図３】ケース本体の底部に２個の指止め輪を有し、内側へ回転すると閉じられ、外側へ回転すると開かれることを示す。
【図３ａ】ケース本体の底部に２個の指止め輪を有し、内側へ回転すると開らかれ、外側へ回転すると閉じられることを示す。
【図４】ケース本体の底部に１個の指止め輪を有し、指止め輪に２列の平行な指孔を有することを示す。
【図５】指止め輪の指孔に開閉可能な弁を有することを示す。
【図５ａ】図５に示す指止め輪と指孔の弁が開かれたことを示す。
【図６】指止め輪の異なる形状、及び指孔の弁の異なる形状を示す。
【図６ａ】指止め輪の異なる形状、及び指孔の弁の異なる形状を示す。
【図６ｂ】指止め輪の異なる形状、及び指孔の弁の異なる形状を示す。
【図７】指止め輪の一端側とケース本体の底部とに連結され、指止め輪の開きを制限することを示す図である。
【図７ａ】指止め輪の一端側とケース本体の底部とに連結され、指止め輪の開きを制限することを示す図である。
【図８】指止め輪付きの携帯電話／タブレットＰＣ用ケースの使用方法を示す図である。
【図８ａ】指止め輪付きの携帯電話／タブレットＰＣ用ケースの使用方法を示す図である。
【図９】ケース本体と側部を有する本発明の指止め輪付きの携帯電話／タブレットＰＣ用ケースを示す。
【図９ａ】図９に示す携帯電話／タブレットＰＣ用ケースの底部を示す。
【図９ｂ】図９に示す携帯電話／タブレットＰＣケースの指止め輪を示す。
【図９ｃ】図９に示す指止め輪付きの携帯電話／タブレットＰＣ用ケースの使用状態を示す図である。
【発明を実施するための形態】
【００１３】
図１に示す指止め輪付きの携帯電話／タブレットＰＣ用ケースは、側部２と底部３を有するケース本体１（ボックス、箱）と、指止め輪４と、を有する。携帯電話／タブレットＰＣは、側部２に包まれるようにこのケース本体１に収納される。
【００１４】
図２に示すように、底部３には、指止め輪４が設けられている。当該指止め輪４は、長方形であり、底部３から切り取ってできるものであり、その３本の辺が底部３から切り離され、別の１本の辺が底部３に連結されている。
当該指止め輪４は、楕円形や半月形等、ほかの形状であってもよい。
当該底部３が弾性材であるため、指止め輪４は、ケース本体の底部３から回転して開閉することができる。指止め輪４にある複数の指孔５は、正方形、長方形、円形又は半円形であり、その数が１個、２個、３個又は４個である。
【００１５】
図２ａに示すように、当該指止め輪４は、回転して開かれる。
【００１６】
図２ｂに示すように、当該指止め輪４は、ヒンジ６によりケース本体の底部３に連結される。当該指止め輪４は、回転して開かれ、回転して閉じられる。
【００１７】
図３に示すように、ケース本体の底部３に２個の指止め輪４を有し、内側に回転すると閉じられ、外側に回転すると開かれる。
【００１８】
図３ａに示すように、ケース本体の底部３に２個の指止め輪４を有し、２個の指止め輪は、内側に回転すると開かれ、外側に回転すると閉じられる。
【００１９】
図４に示すように、ケース本体の底部３に１個の指止め輪４を有し、複数の指孔５が指止め輪４に２列に平行に配置されている。
【００２０】
図５、５ａに示すように、指止め輪４の指孔５には、弾性弁７も有し、弁７が開閉可能である。
【００２１】
図６、６ａ、６ｂに示すように、指止め輪４の形状は、長方形、半円形又は楕円形である。指孔５は、長方形、円形又は方形である。
【００２２】
図７に示すように、短いフレキシブルワイヤー９は、回転連結具１０の近くで、指止め輪４の一端側と、ケース本体の底部３とを連結し、指止め輪４の開きαは制限される。指止め輪４には、一つの指孔５があり、または指孔５がない。指止め輪４の開きαが制限される開きであるため、指止め輪付きの携帯電話／タブレットＰＣ用ケースは、携帯電話／タブレットＰＣが机の上に立つように、支持する。使用者は、指や手のひらにより携帯電話／タブレットＰＣをしっかりと掴むことができ、その手の親指でタッチパネルを自由に操作できる。
【００２３】
図７ａに示すように、短いフレキシブルワイヤー９は、ヒンジ６の近くで、指止め輪４の一端側と、ケース本体の底部３とを連結し、指止め輪４の開きαは制限される。指止め輪４には、一つの指孔５があり、または指孔５がない。指止め輪４の開きαが制限されるため、指止め輪付きの携帯電話／タブレットＰＣ用ケースは、携帯電話／タブレットＰＣを、机の上に立つように支持することができる。使用者（ユーザー）は、指や手のひらにより携帯電話／タブレットＰＣをしっかりと掴むことができ、その手の親指でタッチパネルを自由に操作できる。
【００２４】
図８、８ａは、指止め輪付きの携帯電話／タブレットＰＣ用ケースの使用方法を示す図である。使用者は、指と手のひらとを使って携帯電話／タブレットＰＣをしっかり掴むことができ、当該手の親指によるタッチパネルの操作が自由になる。
【００２５】
指孔５の弁７が閉じられるため、携帯電話／タブレットＰＣをかすり傷からより効果的に保護することができる。
【００２６】
図９に示すように、指止め輪付きの携帯電話／タブレットＰＣ用ケース２０は、側部２３と底部２４を有するケース本体２１と、指止め輪２２と、を有する。携帯電話／タブレットＰＣは、側部２３に包まれるようにこのケース本体２１に収納される。
【００２７】
図９ａに示すように、ケース本体の底部２４には、指止め輪２２が設けられている。
【００２８】
図９ｂに示すように、指止め輪２２は、弾性弁２５と弾性ベルト２６を有する。
【００２９】
当該弾性弁２５は、弾性弁２５の２本の長辺と１本の短辺が三つの切り目２８によりケース本体２１の底部２４から切り離され、別の１本の短辺が底部２４に連結するように形成される。
【００３０】
当該弾性ベルト２６は、弾性ベルト２６の２本の長辺が二つの切り目２７により当該弾性弁２５から切り離され、２本の短辺が当該弾性弁２５に連結するように形成される。当該弾性ベルト２６は、ケース本体の長辺に平行である。図９ｂの点線が示すように、当該弾性ベルト２６を引き出すことによりギャップが形成され、人の中指をギャップに入れ、携帯電話／タブレットＰＣを有するケースをしっかり掴むことができる。
【００３１】
図９ｃに示すように、使用者は中指を弾性ベルト２６と弾性弁２５とのギャップに入れ、親指を使わず、携帯電話／タブレットＰＣ用ケースをしっかり掴むことができる。
【００３２】
（付記）
（付記１）
携帯電話／タブレットＰＣを収納するケース本体を含む、指止め輪付きの携帯電話／タブレットＰＣ用ケースにおいて、
前記ケース本体の底部に、前記指止め輪が設けられ、
前記指止め輪は、弾性弁と弾性ベルトを有し、
前記弾性弁は、１本の辺が前記底部に連結し、他の辺が前記底部から切り離され、
前記弾性ベルトは、２本の対向する辺が前記弾性弁に連結されており、他の２本の対向する辺が前記弾性弁から切り離され、
前記弾性ベルトは、前記ケース本体の長辺に平行である、
ことを特徴とする指止め輪付きの携帯電話／タブレットＰＣ用ケース。
【００３３】
（付記２）
付記１に記載の指止め輪付きの携帯電話／タブレットＰＣ用ケースにおいて、
前記弾性弁と前記弾性ベルトの各々は長方形である、
ことを特徴とする指止め輪付きの携帯電話／タブレットＰＣ用ケース。
【００３４】
（付記３）
付記２に記載の指止め輪付きの携帯電話／タブレットＰＣ用ケースにおいて、
前記弾性弁は、２本の長辺と１本の短辺が三つの切り目により前記ケース本体の前記底部から切り離され、別の１本の短辺が前記底部に連結するように形成される、
ことを特徴とする指止め輪付きの携帯電話／タブレットＰＣ用ケース。
【００３５】
（付記４）
付記２に記載の指止め輪付きの携帯電話／タブレットＰＣ用ケースにおいて、
前記弾性ベルトは、２本の長辺が二つの切り目により前記弾性弁から切り離され、２本の短辺が前記弾性弁に連結されている、
ことを特徴とする指止め輪付きの携帯電話／タブレットＰＣ用ケース。
【００３６】
（付記５）
付記１に記載の指止め輪付きの携帯電話／タブレットＰＣ用ケースにおいて、
前記ケース本体と前記指止め輪とは、弾性プラスチックから製造される、
ことを特徴とする指止め輪付きの携帯電話／タブレットＰＣ用ケース。
【図１】
2017159038.tif 000003
【図２】
2017159038.tif 000004
【図２ａ】
2017159038.tif 000005
【図２ｂ】
2017159038.tif 000006
【図３】
2017159038.tif 000007
【図３ａ】
2017159038.tif 000008
【図４】
2017159038.tif 000009
【図５】
2017159038.tif 000010
【図５ａ】
2017159038.tif 000011
【図６】
2017159038.tif 000012
【図６ａ】
2017159038.tif 000013
【図６ｂ】
2017159038.tif 000014
【図７】
2017159038.tif 000015
【図７ａ】
2017159038.tif 000016
【図８】
2017159038.tif 000017
【図８ａ】
2017159038.tif 000018
【図９】
2017159038.tif 000019
【図９ａ】
2017159038.tif 000020
【図９ｂ】
2017159038.tif 000021
【図９ｃ】
2017159038.tif 000022
【外国語明細書】
2017159038000001.pdf